(57)【要約】  化粧品配合物に用いるためのガラスフレークは、厚さ＜５００ｎｍ、粒度５〜１００ミクロン、平均厚さ偏差＜７５ｎｍを有する。またガラスフレークは、１種または複数の無機化合物で原液着色され、光発色性、熱変色性、ＩＲ吸収、ＵＶＡおよびＵＶＢ吸収などの機能特性を有することもある。ガラスフレークは、低い平均厚さ偏差を達成するために、低速供給インパクトミラーを使用しかつ対向ジェットミルに複数回通すことを含むロータリー法によって作製することができる。【特許請求の範囲】
【請求項１】
厚さ＜５００ｎｍ、粒度５〜１００ミクロン、および平均厚さ偏差＜７５ｎｍを有するガラスフレーク。
【請求項２】
厚さ＜２７５ｎｍおよび平均厚さ偏差＜５０ｎｍを有する、請求項１に記載のガラスフレーク。
【請求項３】
厚さ＜２５０ｎｍおよび平均厚さ偏差＜２５ｎｍを有する、請求項１または請求項２に記載のガラスフレーク。
【請求項４】
厚さ＜２００ｎｍおよび平均厚さ偏差＜７５ｎｍを有する、請求項１から３のいずれかに記載のガラスフレーク。
【請求項５】
１種または複数の無機化合物で原液着色される、請求項１から４のいずれかに記載のガラスフレーク。
【請求項６】
光発色性、熱変色性、ＩＲ吸収、ＵＶＡおよびＵＶＢ吸収などの機能特性を有する、請求項１から５のいずれかに記載のガラスフレーク。
【請求項７】
アスペクト比が１から２００である、請求項１から６のいずれかに記載のガラスフレーク。
【請求項８】
ガラスが、ホウケイ酸ガラス、ソーダ石灰ガラス、アルミノケイ酸塩、Ｃ，Ａ，Ｓ，Ｒ，Ｅ、ＥＣＲ、または低アルカリガラスである、請求項１から７のいずれかに記載のガラスフレーク。
【請求項９】
セラミック材料を含む、請求項１から８のいずれかに記載のガラスフレーク。
【請求項１０】
重金属を実質的に含まない、請求項１から９のいずれかに記載のガラスフレーク。
【請求項１１】
非晶質である、結晶である、ある程度の結晶化度を示す、または組成に応じて相分離する、のいずれかである、請求項１から１０のいずれかに記載のガラスフレーク。
【請求項１２】
表面処理済みである、請求項１から１１のいずれかに記載のガラスフレーク。
【請求項１３】
請求項１から１２のいずれかに記載のガラスフレークを含む化粧品配合物。
【請求項１４】
請求項１から１２のいずれかに記載のガラスフレークを含む、ケア化粧品配合物または装飾化粧品配合物。
【請求項１５】
請求項１から１２のいずれか一項に記載のガラスフレークを含む、親油性、親水性または疎水性配合物。
【請求項１６】
ガラスフレークが、配合物全体に基づいて、０．１〜９５重量％の量で存在する、請求項１３から１５のいずれかに記載の化粧品配合物。
【請求項１７】
水、ポリオール、極性もしくは非極性油、脂肪、ろう、皮膜形成剤、ポリマー、コポリマー、界面活性剤、フリーラジカルスカベンジャー、酸化防止剤、安定剤、香り増強剤、シリコーン油、乳化剤、溶媒、保存剤、増粘剤、レオロジー添加剤、香料、着色料、エフェクト顔料、ＵＶ吸収剤、界面活性助剤および／または美容上活性な化合物のうち１つまたは複数を含む、請求項１３から１６のいずれかに記載の化粧品配合物。
【請求項１８】
雲母、タルク、カオリン、絹雲母、炭酸カルシウム、シリカ、ＢｉＯＣｌ、硫酸バリウム、硫酸カルシウム、窒化ホウ素ならびにナイロン粉末、ポリメチルメタクリレートおよびメラミン樹脂などのポリマーである、１種または複数の充填材を含む、請求項１３から１７のいずれかに記載の化粧品配合物。
【請求項１９】
縦軸を中心に回転するように取り付けたカップの中に溶融ガラスを供給するステップと、前記軸を中心にカップを回転させることにより、溶融ガラスのフィルムがカップの縁から放射状に出るようにするステップであって、断熱手段が前記カップの周りに少なくとも部分的に広がりかつ／またはカップが回転しながら加熱されるステップと、得られたフレークを減圧下で低速供給インパクトミラーの作用に曝露し、次いで、対向ジェットミルに複数回通すステップとを含む、ガラスフレークを作製する方法。
【発明の詳細な説明】
【技術分野】
【０００１】
本発明は、超薄のガラスフレークおよび化粧品配合物中の充填材としてのそれらの使用に関する。
【背景技術】
【０００２】
ガラスフレークは、長い間、材料特性を改善する充填材として使用されている。ガラスフレークは、化粧品配合物において機能顔料および装飾顔料の両方としてかなり有益であることがわかっている。
【０００３】
化粧品配合物において、充填材は、肌触り、付着力、および皮膚における外観などの特性を高めるために使用され、また、配合物をかさ増しするために使用される。これらはまた、機能的にも有益であり得る。使用される一般の充填材には、雲母、タルク、カオリン、絹雲母、炭酸カルシウムおよびシリカなどの鉱物が含まれる。ナイロン粉末、ポリメチルメタクリレート、メラミン樹脂などのポリマーを用いることもできる。使用される他の充填材には、ＢｉＯＣｌ、硫酸バリウム、硫酸カルシウムおよび窒化ホウ素が含まれる。
【先行技術文献】
【特許文献】
【０００４】
【特許文献１】欧州特許出願公開第０８９２４０号明細書（ＥＰ０８９２４０）
【特許文献２】欧州特許出願公開第２２０３３９４号明細書（ＥＰ２２０３３９４）
【特許文献３】欧州特許出願公開第０２８９２４０号明細書（ＥＰ０２８９２４０）
【特許文献４】国際出願ＰＣＴ／ＧＢ２０１０／００３７６号明細書（ＰＣＴ／ＧＢ２０１０／００３７６）
【特許文献５】独国特許出願公開第４３０８２８２号明細書（ＤＥ−Ａ  ４３  ０８  ２８２）
【発明の概要】
【課題を解決するための手段】
【０００５】
本発明によれば、厚さ＜５００ｎｍ、粒度５〜１００ミクロン、および平均厚さ偏差＜７５ｎｍであるガラスフレークが提供される。
【０００６】
本発明のガラスフレークは、伝統的な充填材とは対照的に、均一の形状を有する。これは、光安定性であり、機械的に安定性であり、変色しない。さらに、これらの形態は、これらの効果を高めるために制御することができる。
【０００７】
ＥＰ０８９２４０は、ガラスフレークを生成するためのロータリー法を記載している。ＥＰ０８９２４０には、生成物を生成するのが２７５ｎｍまでという実用上の制限がある。さらに、厚さの偏差および広がりは、化粧品における使用に対してあまりに広範である。本発明のフレークは、より薄いフレークであるだけでなく、平均厚さ偏差がよりしっかりと制御され、フレークの均一性がより優れているものでもある。標準的なロータリー法によって生成されたガラスフレークとは対照的に、本発明に関するガラスフレークは、外観が改善され、肌触りが改善されている。さらに、かさ密度が低いことにより、経済的に有益である。
【０００８】
本発明のガラスフレークは、ＥＰ２２０３３９４に記載されているものなどの方法を用いて好ましくは作製される。この方法は、縦軸を中心に回転するように取り付けたカップに溶融ガラスを供給するステップと、前記軸を中心にカップを回転させることにより、溶融ガラスのフィルムが、カップの縁から放射状に出るようにするステップを含む。カップの周囲に少なくとも部分的に断熱手段が広がり、かつ／またはカップが回転しながら加熱される。
【０００９】
７５ｎｍ未満の厚さ偏差を得るために、ＥＰ２２０３３９４の方法は、この方法によって生成されたフレークを減圧下でハンマーミラーなどの低速供給インパクトミラー（ｓｌｏｗ  ｆｅｄ  ｉｍｐａｃｔ  ｍｉｌｌｅｒ）の作用に曝露し、次いで、フレークを対向ジェットミルに複数回通すことにより修正される。
【発明を実施するための形態】
【００１０】
従来技術と対照的に、本発明によるガラスフレークは、血小板形態のより高い制御、特に、偏差に対する制御のために、化粧品配合物における充填材としてより優れた挙動を示す。従来技術は、化粧品用途において使用するための所与の厚さのガラスフレークの使用を記載し、通常、ＥＰ０８９２４０（またはＮＳＧ特許引用）に従って生成された材料は、偏差が＋／−２ミクロン、最善でも＋／−２００ｎｍである。平均厚さのこのような偏差を有する生成物は、外観および肌触りにむらがあり、望ましくない。
【００１１】
適当なガラスには、ホウケイ酸ガラス、ソーダ石灰ガラス、アルミノケイ酸塩、Ｃ，Ａ，Ｓ，Ｒ，Ｅ、ＥＣＲ、低アルカリガラスなどのシリカートガラスが含まれる。ガラスフレークは、特定の使用用途に応じて、非晶質であることができ、ある程度の結晶化度または相分離を示すことができる。かかるガラスは、鉱物酸化物またはあらかじめ溶融された大理石から生成することができる。本発明の目的では正確な組成を制御するために、またパーソナルケア化粧品配合物の目的では重金属含有量を制御するために、鉱物酸化物から溶融体を生成することが好ましい。
【００１２】
本実施形態において用いられるガラスフレークは、好ましくは、組成物の構成成分として鉛およびヒ素などのいわゆる重金属を実質的に含まない。
【００１３】
ガラスフレークは、厚さが＜１ミクロンで、平均偏差７５ｎｍ、具体的には２５〜５００ｎｍで、平均偏差７５ｎｍ、好ましくは５０〜２７５ｎｍで、平均偏差２５〜５０ｎｍである。平均粒度は、５〜１００ミクロン、好ましくは５〜４０ミクロンである。
【００１４】
ガラスフレークは、アスペクト比が１から１００、好ましくは１から１７５、より好ましくは、１から２００である。
【００１５】
ガラスフレークは、バブル法およびロータリー法のものなど公知の方法を用いて溶融体から生成される。本発明の目的では、ＥＰ０２８９２４０に記載のロータリー法が好ましい。しかし、記載されている方法では、ガラスフレークを２７５ｎｍ未満の妥当な平均厚さで生成することはできない。さらに、生成された生成物は、厚さ偏差が大きい。最善でも、かかるガラスフレークは、式ΔＤ＝（Ｄ９０−Ｄ１０）／Ｄ５０［Ｄｘは、粒子のｘ％がＤを超える厚さを有しおよび粒子の（１００−ｘ）％がＤ未満の厚さを有する粒度である］を用いた場合、比が１以下である。例えば、ＥＰ０２８９２４０のロータリー法によって生成されたガラスフレークは、以下の特性：Ｄ１０  ３５；Ｄ５０  １１０；Ｄ９０  １４０を有する生成物を生成し、ΔＤ比が０．５となる。しかし、粒度は、インパクトミル、対向ジェットミル、超音波振動ふるいまたは分級（ｃｌａｓｓｉｆｉｃａｔｉｏｎ）を含めた第２のプロセシングによって調整することができる。
【００１６】
本発明によるガラスフレークは、平均厚さ５００ｎｍ超のフレークと比較して、異なる物理的特性を示し、フレークが薄いほど、柔軟であり展性である。したがって、粒子間の衝撃または直接の衝撃に依拠する、ガラスフレークに用いられる従来の粒子縮小方法は、１．０〜２．５の比が好ましい、本発明で使用する所望の粒度を達成するのに不適当である。さらに、フレーク厚さの偏差が低い結果としての低偏差粒子かさ密度は、狭小な画分を得、達成される全体的な効果に有害である微粒子または特大粒子の比を低下させる上でさらなる問題を引き起こす。
【００１７】
これらの問題を克服するために、フレークは、減圧下でハンマーミラーなどの修正された低速供給インパクトミラーを用いて処理される。次いで、生成物は、対向ジェットミルに複数回通されて所望の粒度直径を達成する。本発明によって、ガラスフレークが平均厚さ２５〜５００ｎｍ、平均厚さ偏差＋／−２５〜５０ｎｍで生成されることが可能になる。
【００１８】
本発明のガラスフレークの粒度分布の例は、以下の通りである。
例１Ａ
Ｄ１０  ７．５  Ｄ５０  ２０  Ｄ９０  ５７
ΔＤ＝（Ｄ９０−Ｄ１０）／Ｄ５０
（５７−７．５）／２０＝２．４７
例２Ｂ
Ｄ１０  ５  Ｄ５０  １２  Ｄ９０  ２５
ΔＤ＝（Ｄ９０−Ｄ１０）／Ｄ５０
（２５−５）／１２＝１．６６
【００１９】
化粧品配合物などの配合物中のガラスフレークの濃度は、この系の全固体含有量に基づいて、一般に、０．１から９５重量％の間、好ましくは、０．１から５０重量％の間、より好ましくは、１．０から１０重量％の間である。これは、一般に、個別の用途によって決まり、ルースパウダー（ｌｏｏｓｅ  ｐｏｗｄｅｒ）の場合には最高で９５重量％であり得る。
【００２０】
本発明によるガラスフレークは、これらが非常に容易に配合物に取り込まれることができるため、取り扱いが単純で容易である。ガラスフレークは、撹拌するだけで、単独でまたはさらなる化粧品助剤、担体および活性化合物との混合物の形態で、適用システムに取り込まれることができる。ガラスフレークの手間のかかる分散は、必要ない。
【００２１】
本発明によるガラスフレークは、任意のタイプの化粧品原料および助剤および活性化合物と配合物中で合わせることができる。これらには、とりわけ、水、アルコール、ポリオール、極性および非極性油、脂肪、ろう、皮膜形成剤、ポリマー、コポリマー、界面活性剤、フリーラジカルスカベンジャー、例えば、ビタミンＣまたはビタミンＥなどの酸化防止剤、安定剤、香り増強剤（ｏｄｏｕｒ  ｅｎｈａｎｃｅｒ）、シリコーン油、乳化剤、香料、例えば、エタノール、酢酸エチルまたは酢酸ブチルなどの溶媒、保存剤ならびに一般的に適用性を決定する助剤、例えば、増粘剤およびレオロジー添加剤、例えば、ベントナイト、ヘクトライト、二酸化ケイ素、ケイ酸Ｃａ、ゼラチン、高分子量炭水化物、および／または界面活性助剤などが含まれる。
【００２２】
適当な活性化合物は、例えば、防虫剤、例えば、ＴｉＯ２、ＵＶ  Ａ／Ｂ保護フィルター（例えば、ＯＭＣ、ＢＰ−３、４−ＭＢＣ）などの無機ＵＶフィルターであり、被包された形態での、抗老化活性化合物、ビタミンおよびそれらの誘導体（例えば、ビタミンＡ、Ｃ、Ｅなど）、セルフタンニング剤（例えば、とりわけ、ＤＨＡ、エリトルロース）ならびに例えば、ビサボロール、ＬＰＯ、ＶＴＡ、エクトイン、エンブリカ（ｅｍｂｌｉｃａ）、アラントイン、バイオフラボノイドおよびそれらの誘導体などのさらなる化粧品活性化合物を含む。
【００２３】
有機ＵＶフィルターは、０．５から１０重量％、好ましくは１から８重量％の量で化粧品配合物に一般に取り込まれ、無機ＵＶフィルターは、０．１から３０重量％の量で取り込まれる。さらに、本発明による組成物は、さらに従来の皮膚保護もしくは皮膚ケア活性化合物を含むことができる。これらは、原則的に、当業者に公知のすべての活性化合物であり得る。特に好ましい活性化合物は、ピリミジンカルボン酸および／またはアリールオキシムである。
【００２４】
ガラスフレークは、機能的もしくは装飾的効果を加えるために組成を変化させて改質することができる。本発明によるガラスフレークは、化粧品中の着色剤、特に、例えば、真珠光沢顔料、干渉顔料、ゴニオクロマチック顔料、ＢｉＯＣｌフレーク、多層顔料、金属顔料、有機色素、有機有色顔料および他の顔料（例えば、透明および不透明な白色、有色および黒色の顔料）などのエフェクト顔料との混合物として、ならびにまた、フレーク形態の酸化鉄、ホログラフィック顔料、ＬＣＰ（液晶ポリマー）および従来の透明、有色および黒色の光輝顔料（金属酸化物コーティング雲母フレークおよびＳｉＯ２フレークなどをベースとする）との混合物として有利に用いることができる。本発明によるガラスフレークは、任意の比で市販の（エフェクト）顔料と混合することができる。ガラスフレーク：顔料重量比は、色彩強度に応じて、１：９９から９９：１となり得る。着色されたテクスチャーの場合では、顔料の割合は、着色の少ないテクスチャーの場合よりも大きい。
【００２５】
本発明のガラスフレークは、ＰＣＴ／ＧＢ２０１０／００３７６に記載されている通り着色することができる。着色、具体的には黒色、褐色、青色、金色、緑色および赤色は、無機化合物を加えることにより達成することができる。光発色性、熱変色性、ＵＶ吸収、ＩＲ吸収などの特定の機能性も達成することができる。
【００２６】
基質タイプを含めたタイプの効果ならびに金属酸化物および純金属またはそれらの組み合わせを含めたコーティングに関する制限はない。
【００２７】
有色顔料は、例えば、アントラキノン顔料、キナクリドン顔料、ジケトピロロピロール顔料、フタロシアニン顔料、アゾ顔料、イソインドリン顔料など。針状の顔料は、好ましくは、ＢｉＯＣｌ、着色されたガラス繊維、α−ＦｅＯＯＨ、例えば、アゾ顔料、β−フタロシアニンＣｌ  Ｂｌｕｅ  １５．３、Ｃｒｏｍｏｐｈｔａｌ  Ｙｅｌｌｏｗ  ８ＧＮ（Ｃｉｂａ−Ｇｅｉｇｙ）、Ｉｒｇａｌｉｔｈ  Ｂｌｕｅ  ＰＤ５６（Ｃｉｂａ−Ｇｅｉｇｙ）、アゾメチン／銅複合体Ｃｌ  Ｙｅｌｌｏｗ  １２９、Ｉｒｇａｚｉｎｅ  Ｙｅｌｌｏｗ  ５ＧＴ（Ｃｉｂａ−Ｇｅｉｇｙ）などの有機色顔料である。
【００２８】
適当な有機有色顔料および色素は、例えば、酸化クロムおよびウルトラマリンなど、天然または合成起源である。
【００２９】
化粧品配合物において充填材として好ましく用いられるガラスフレークは、無論、他の公知の充填材と混合してもそれらと共に用いてもよい。挙げることができる充填材は、例えば、合成有機ポリマー、ポリメチルメタクリレート、メタクリル酸メチルクロスポリマー、天然および合成雲母、ナイロン粉末、純粋なもしくは充填材入りのメラミン樹脂、タルク、ＳｉＯ２、ガラス粉末、ガラスビーズ、カオリン、アルミニウムの酸化物または水酸化物、マグネシウムの酸化物または水酸化物、カルシウムの酸化物または水酸化物、亜鉛の酸化物または水酸化物、ＢｉＯＣｌ、硫酸バリウム、硫酸カルシウム、炭酸カルシウム、炭酸マグネシウム、例えば、炭酸カルシウムまたは炭酸マグネシウムなどの塩基性アルカリ土類金属炭酸塩、炭素、およびこれらの物質の物理的または化学的組み合わせである。
【００３０】
ナノスケール誘電体も、肌触りをさらに改善するために取り込むことができる。このタイプの添加の例は、Ａｌ２Ｏ３、ＳｉＯ２、ＺｎＯまたはＴｉＯ２であり、これらは、通常、０．０１〜１５重量％の量で配合物に加えられる。
【００３１】
本発明によるガラスフレークを含む配合物は、親油性、親水性または疎水性タイプに属することができる。水相および非水相が分離している不均質な配合物の場合では、本発明によるガラスフレークは、それぞれの場合において、２相のうちの１相のみに存在し得るか、あるいは両相に分布することができる。
【００３２】
配合物のｐＨ値は、１から１４の間、好ましくは２から１１の間、特に好ましくは５から８の間となり得る。
【００３３】
挙げることができる化粧品配合物の適用形態は、例えば、溶液、懸濁液、乳化液、ＰＩＴ乳化液、ペースト、軟膏、ゲル、クリーム、ローション、粉末、石けん、界面活性剤含有クレンジング剤、オイル、エアゾールおよびスプレーである。他の適用形態の例は、スティック、シャンプーおよびシャワー剤である。本発明によるガラスフレークに加えて、任意の所望の通例の担体、助剤、所望なら、さらなる活性化合物を組成物に加えることができる。
【００３４】
軟膏、ペースト、クリームおよびゲルは、通例の担体、例えば、動物および植物性脂肪、ろう、パラフィン、デンプン、トラガカント、セルロース誘導体、ポリエチレングリコール、シリコーン、ベントナイト、シリカ、タルクおよび酸化亜鉛、またはこれらの物質の混合物を含むことができる。
【００３５】
粉末およびスプレーは、通例の担体、例えば、ラクトース、タルク、シリカ、水酸化アルミニウム、ケイ酸カルシウムおよびポリアミド粉末、またはこれらの物質の混合物を含むことができる。スプレーは、通例の噴射剤、例えば、クロロフルオロカーボン、プロパン／ブタンまたはジメチルエーテルをさらに含むことができる。
【００３６】
溶液および乳化液は、溶媒、可溶化剤および乳化剤などの通例の担体、例えば、水、エタノール、イソプロパノール、炭酸エチル、酢酸エチル、ベンジルアルコール、安息香酸ベンジル、プロピレングリコール、１，３−ブチルグリコール、油、具体的には、綿実油、ラッカセイ油、麦芽油、オリーブ油、ヒマシ油およびゴマ油、グリセロール脂肪酸エステル、ポリエチレングリコールおよびソルビタンの脂肪酸エステル、またはこれらの物質の混合物を含むことができる。
【００３７】
懸濁液は、液体賦形剤などの通例の担体、例えば、水、エタノールまたはプロピレングリコール、懸濁液媒体、例えば、エトキシル化イソステアリルアルコール、ポリオキシエチレンソルビトールエステルおよびポリオキシエチレンソルビタンエステル、微結晶セルロース、メタ水酸化アルミニウム（ａｌｕｍｉｎｉｕｍ  ｍｅｔａｈｙｄｒｏｘｉｄｅ）、ベントナイト、寒天およびトラガカント、またはこれらの物質の混合物を含むことができる。
【００３８】
石けんは、脂肪酸のアルカリ金属塩、脂肪酸モノエステルの塩、脂肪酸タンパク質加水分解物、イソチオナート、ラノリン、脂肪アルコール、植物油、植物抽出物、グリセロール、砂糖、またはこれらの物質の混合物などの通例の担体を含むことができる。
【００３９】
界面活性剤含有クレンジング生成物は、脂肪アルコールスルファートの塩、脂肪アルコールエーテルスルファート、スルホコハク酸モノエステル、脂肪酸タンパク質加水分解物、イソチオナート、イミダゾリニウム誘導体、メチルタウラート、サルコシナート、脂肪酸アミドエーテルスルファート、アルキルアミドベタイン、脂肪アルコール、脂肪酸グリセリド、脂肪酸ジエタノールアミド、植物油および合成油、ラノリン誘導体、エトキシル化グリセロール脂肪酸エステル、またはこれらの物質の混合物などの通例の担体を含むことができる。
【００４０】
顔および身体用オイルは、通例の担体、例えば、脂肪酸エステル、脂肪アルコール、シリコーン油などの合成油、植物油および油性植物抽出物、パラフィン油、ラノリン油などの天然油またはこれらの物質の混合物などを含むことができる。
【００４１】
化粧品組成物は、様々な形態で存在することができる。したがって、これらは、例えば、溶液、無水の組成物、油中水（Ｗ／Ｏ）型もしくは水中油（Ｏ／Ｗ）型の乳化液またはマイクロエマルション、例えば、水中油中水（Ｗ／Ｏ／Ｗ）型の複合乳化液、ゲル、固形スティック、軟膏またはエアゾールとなり得る。被包された形態で、例えば、コラーゲンマトリックス中でおよび例えば、セルロースカプセル化のような他の従来のカプセル化材料中で、ゼラチン、ろうマトリックス中でまたはリポソームにより被包されて、エクトインを投与するとやはり有利である。具体的には、ＤＥ−Ａ  ４３  ０８  ２８２に記載されているろうマトリックスは、好ましいことが証明されている。好ましいのは、乳化液である。Ｏ／Ｗ乳化液は、特に好ましい。乳化液、Ｗ／Ｏ乳化液およびＯ／Ｗ乳化液は、従来の方式で得ることができる。
【００４２】
さらなる実施形態は、天然もしくは合成の油およびろう、ラノリン、脂肪酸エステル、具体的には、脂肪酸のトリグリセリドに基づく油性ローションであるか、あるいはエタノール、またはプロピレングリコールなどのグリセロールおよび／またはグリセロールなどのポリオールなどの低級アルコール、ならびに油、ろうおよび脂肪酸のトリグリセリドなどの脂肪酸エステルに基づく油性アルコールローションである。
【００４３】
固形スティックは、天然もしくは合成ろうおよび油、脂肪アルコール、脂肪酸、脂肪酸エステル、ラノリンおよび他の脂肪物質からなる。
【００４４】
化粧用油は、好ましくは、鉱油、水素化ポリイソブテン、合成スクアランもしくは天然物から調製されたスクアラン、分枝していても分枝していなくてもよい飽和でも不飽和でもよい化粧品エステルもしくはエーテル、植物油またはそれらの混合物である。
【００４５】
化粧品組成物は、色の変化、漂白または機械的な性質の損傷を防止するために光化学的な損傷に対して毛髪を保護するために用いることもできる。この場合において、適当な配合物は、洗い流すシャンプー、ローション、ゲルまたは乳化液の形態であり、当該組成物は、シャンプー前または後、カラーリングもしくは漂白前または後あるいはパーマネントウェーブ前または後に適用される。整髪するまたは毛髪を処理するためのローションまたはゲルの形態で、ブラシをかけるまたはドライヤーでウェーブを作るためのローションまたはゲルの形態で、毛髪ラッカーの形態で、パーマネントウェーブ用組成物、毛髪用の着色料または漂白の形態で組成物を選択することも可能である。光保護特性を有する組成物は、界面活性剤、増粘剤、ポリマー、軟化剤、保存剤、フォーム安定剤、電解液、有機溶媒、シリコーン誘導体、油、ろう、アンチグリース（ａｎｔｉｇｒｅａｓｅ）剤、組成物自体または毛髪を着色する色素および／または顔料、またはヘアケア用に通常用いられる他の成分などの助剤を含むことができる。
【００４６】
本発明によるガラスフレークは、例えば、口紅、リップグロス、ほお紅、アイライナー、アイシャドー、（ボリューム）マスカラ、ネイルエナメル、昼用クリーム、夜用クリーム、ボディローション、クレンジング乳剤、ボディー用白粉、ヘアジェル、ヘアマスク、ヘアリンス、ヘアシャンプー、シャワー用ゲル状洗浄剤、シャワーオイル、バスオイル、日焼け止め、日焼け前および日焼け後の皮膚の手入れ製剤、日焼け用ローション、日焼け用スプレー、メークアップ、ローション、石けん、バスソルト、練り歯磨き、フェイス用マスク、コンパクトパウダー（ｃｏｍｐａｃｔ  ｐｏｗｄｅｒ）、ルースパウダーおよびゲルなどにおいて、充填材として用いることができる。このタイプの生成物は、この分野の当業者に公知である方式で生成される。
【００４７】
本発明は、さらに、本発明によるガラス基質を含む化粧品配合物に関する。
【００４８】
したがって、本発明はまた、具体的には、ケアおよび装飾化粧品において、ならびに塗料、コーティング、自動車の塗装、粉体被覆、印刷インク、セキュリティー印刷インク、プラスチック、紙において、紙塗被において、顔料組成物および例えば、顆粒剤などの乾燥製剤の調製のための水、有機および／または水性溶媒を含む顔料ペーストにおいて、充填材としての、本発明によるガラスフレークの使用に関する。本発明によるガラスフレークは、適用特性、肌触り、効果（ｐａｙ−ｏｆｆ）および粉末の圧縮率を改善することができるため、機能性充填材として好ましくは使用される。さらに、これらは、配合物の油っぽく、べたつく側面を減らし、乳化液の濃厚さを増し、粘性に影響を与えることができる。
【００４９】
ガラスフレークの表面は、本質的に親水性であり、化粧品を製造する間に加えられる油に対して親和性があまりない。したがって、ガラスフレークが、油に対して親和性があることが必要である場合、その表面は、疎水化剤でコーティングすることができる。この場合には、ガラスフレークの表面全体が、疎水化剤でコーティングされていてもよく、表面の一部がコーティングされていてもよい。
【００５０】
このコーティング処理のために用いることができる疎水化剤の例には、化粧品顔料の表面処理のために通常用いられる構成成分として、メチルヒドロゲンポリシロキサン、反応性アルキルポリシロキサン、高粘度シリコーン油、およびシリコーン樹脂などのシリコーン化合物；陰イオン活性化剤および陽イオン活性化剤などの界面活性剤；シランカップリング剤、チタニアカップリング剤、ナイロン、ポリメチルメタクリレート、ポリエチレン、フッ素樹脂、およびポリアミノ酸などのポリマー化合物；水素化レシチン；アシル化コラーゲン；金属石けん；親油性ろう；および多価アルコールエステルが含まれる。これらの疎水化剤は、組み合わせて用いることができる。
【００５１】
疎水化剤を用いたコーティング処理法の例には、液体噴霧方法、および液体浸漬方法、およびその他が含まれる。疎水化剤の付着量は、普通は、ガラスフレークの質量当たり０．０１から５質量％である。コーティング処理の結果として、感触が良い化粧品を得ることができる。
【００５２】
本発明によるガラスフレークは、それが加えられる媒体との相溶性を改善するためにさらにコーティングすることができ、これらのコーティングには、シランおよびステアレートなどの公知の表面調節剤が含まれる。例としては、化粧品配合物において用いるためのトリエトキシカプリリルシラン；ポリマーおよびコーティング系において用いるための３−アミノプロピルトリエトキシシランである。
【００５３】
（実施例）
以下の例は、さらに、本発明を例示する。
【００５４】
（実施例１）
本発明によるガラスフレークを含有する口紅は、光り輝くきらめき効果を与える。これは、別々の相および条件で成分を合わせ、さらに続いてそれらを合わせて最終製品を生成することによって、常法で調製することができる。配合物は、以下の通りである。
【００５５】
重量％
蜜ろう  ８
カルナウバろう  ６
カンデリラろう  ８
オゾケライト  ５
ポリイソブテン  ２９
ヒマシ油  ２０から４５
金属酸化物または純金属でコーティングされたガラスフレーク  ３．５
Ｒｅｄ  ７レーキ（Ｌａｋｅ）  ２．２５
酢酸トコフェロール  ０．０５
ＢＨＴ  ０．０３
ハッカ  ０．３
【００５６】
（実施例２）
本発明によるガラスフレークを含有する顔用ファンデーションは、肌触りをひときわ滑らかにし、肌の色合いを引き立てる色を与える。
【００５７】
配合物は、いくつかの相および条件で成分を合わせ、さらに続いてそれらを合わせて最終製品を生成することによって、常法で調製することができる。配合物は、以下の通りである。
【００５８】
重量％
鉱油  ６．０
ステアリン酸  １．９
ステアリン酸グリセリル  １．８
ラノリンアルコール  ３
イソノナン酸セテアリル  １
イソステアリン酸  ０．５
セルロースガム  ０．３
キサンタンガム  ０．３
プロピレングリコール  ４．７
トリエタノールアミン  ０．９
脱イオン水  必要に応じて
固有の色を有するガラスフレーク  ０．２
二酸化チタン  ２
金属酸化物でコーティングされたガラスフレーク  ７．８
フェノキシエタノール、メチルパラベン、エチルパラベン、プロピルパラベン、ブチルパラベン、イソブチルパラベン  ０．７
【００５９】
（実施例３）
装飾効果および機能効果の両方のために本発明のガラスフレークを含有するセルフタンニングローションは、いくつかの相および条件で成分を合わせ、さらに続いてそれらを合わせて最終製品を生成することによって、常法で調製することができる。配合物は、以下の通りである。
【００６０】
重量％
ステアリン酸グリセリル、ステアレス−２５、セテス−２０、ステアリルアルコール  ８
ステアリルアルコール  １
エチルヘキサン酸セテアリル  ５．５
カプリル酸／カプリン酸トリグリセリド  ５．５
ステアロキシジメチコーン（Ｔｅａｒｏｘｙ  ｄｉｍｅｔｈｉｃｏｎｅ）  ０．５
ジメチコーン  ０．５
金属酸化物または金属でコーティングされたガラスフレーク  １．２
グリセリン  １．８
水（水溶液用の）  ６３
エリトルロース  ２．８
メタ重亜硫酸ナトリウム  ０．２
脱イオン水（水溶液用の）  ９．２
カプリリルグリコール、フェノキシエタノール、ヘキシレングリコール  ０．８
【００６１】
（実施例４）
固形パウダーアイシャドー配合物は、本発明のガラスフレークを含有し、外観および肌触りを改善するタルクの代用品である。
【００６２】
配合物は、いくつかの相および条件で成分を合わせ、さらに続いてそれらを合わせて最終製品を生成することによって、常法で調製することができる。配合物は、以下の通りである。
【００６３】
重量％
ガラスフレーク  ５０．００
雲母  １０．００
ミリスチン酸マグネシウム  ５．５０
シリカ  １．５０
金属酸化物を有するガラスフレーク  １５．００
保存剤  必要に応じて
パルミチン酸オクチル  ６．００
ネオペンタン酸イソステアリル  ２．００
固有の色および金属酸化物コーティングを有するガラスフレーク  １０．００
【００６４】
（実施例５）
本発明によるガラスフレークを含有するネイルエナメルは、光り輝くきらめき効果を与える。配合物は、以下の通りである。
【００６５】
成分  重量％
懸濁ラッカーＳＬＦ−２（酢酸ブチル、トルエン、ニトロセルロース、トシルアミド／ホルムアルデヒド樹脂、イソプロピルアルコール、フタル酸ジブチル、酢酸エチル、カンフル、ｎ−ブチルアルコール、ガラスフレーク（および）クオテリナム（Ｑｕａｔｅｒｉｎｕｍ）−１８ヘクトライト）  ９３
金属酸化物でコーティングされたガラスフレークもしくは金属酸化物またはそれらの組み合わせ  ３
ラッカー  １２７Ｐ  ４
【国際調査報告】
2013530921.tif 000002
2013530921.tif 000003
2013530921.tif 000004